(57)【特許請求の範囲】
【請求項１】
メモリカードを挿入できるスロットを相互間に形成した一対のガイド壁部を両端部に一体成形された接続部と、前記メモリカードに圧接できる状態で前記ガイド壁部の取付スリットに支持されてメモリカードの帯電静電気を放電させるアース端子とを備えるメモリカード・コネクタにおいて、前記アース端子は、前記取付スリットに挿入される端子本体から略直角に曲げ加工されて接地導体にハンダ付けされる接地片と、前記端子本体の表面の切り溝によって片持ち状態に切り起こされかつ先端部を”ヘヤピン”状に折り返される圧接ばねとを備え、前記端子本体の表面で構成する係止面で前記圧接ばねの先端突出部を抑止することを特徴とするメモリカード・コネクタ。
【発明の詳細な説明】
【０００１】
【発明の属する技術分野】
周知のように、メモリカードは、パーソナルコンピュータ等に用意されるスロットに挿入され、外部機器との間で記憶データの授受を行うが、同スロットの内部には、メモリカードの多数のコンタクトにそれぞれ接触できる接続ピンをもつメモリカード・コネクタが付設される。
【０００２】
【背景技術】
図５はこのような目的に用いるメモリカード・コネクタであり、電気絶縁樹脂で成形する同メモリカード・コネクタはメモリカードＭＣの各コンタクトに接触できる多数の接続ピン１Ａを支持する接続部２Ａを備えている。
この接続部２Ａの両端には前記メモリカードＭＣが挿入されるスロットを相互間に形成する一対のガイド壁部３Ａ，４Ａが一体成形され、スロットに挿入されるメモリカードＭＣはこれらのガイド壁部３Ａ，４Ａによって接続部２Ａに向かって案内される。
【０００３】
そして、前記両ガイド壁部３Ａ，４Ａの先端寄りの部分には取付スリット５Ａ，６Ａが形成され、これらの取付スリット５Ａ，６Ａに取り付けられるアース端子１０ＡによりメモリカードＭＣの帯電静電気が図示を省略する基板上の接地導体等に放電される。
即ち、従来の同アース端子１０Ａは、前記取付スリット５Ａ，６Ａに挿入・支持される端子本体１０ａと、同端子本体１０ａの延長上に一体加工される圧接ばね１０ｂとを備え、この圧接ばね１０ｂの円弧状突起１０ｃがスロットに挿入されるメモリカードＭＣの側面に弾力的に接触される。また、このアース端子１０Ａにおいては、図示を省略するプリント配線基板の接地導体にハンダ付けされる接地片１０ｄが前記端子本体１０ａに対して略直角に曲げ加工される。
【０００４】
しかしながら、このような構造のアース端子１０Ａを用いたメモリカード・コネクタにおいては、端子本体１０ａの延長部として圧接ばね１０ｂを成形するから、アース端子１０Ａ自体が大型化してメモリカード・コネクタの全体寸法が大きくなるばかりでなく、アース端子１０Ａが取り付けられるガイド壁部３Ａ，４Ａの先端部の機械的強度が乏しくなる問題があった。
【０００５】
つまり、図６に示すように、端子本体１０ａを取り付ける取付スリット５Ａ，６Ａの両側には、圧接ばね１０ｂの円弧状突起１０ｃを避ける収容溝１１Ａ及びメモリカードＭＣの側面に対する接触時の変形を許容する干渉防止溝１２Ａが形成され、前記収容溝１１Ａの溝端に成形するストッパ部１３Ａで圧接ばね１０ｂの先端を抑止させるが、これらの収容溝１１Ａ及び干渉防止溝１２Ａの形成のため、ガイド壁部３Ａ，４Ａの肉厚が他の部分よりも局部的に小さくなり、メモリカードＭＣ等から強い外力がガイド壁部３Ａ，４Ａに作用されると、ガイド壁部３Ａ，４Ａが変形してしまう可能性があった。
又、ストッパ部１３Ａを必要とする為その肉圧寸法を必用とし、その分ガイド壁部３Ａ,４Ａを小型化できない。
【０００６】
【発明が解決しようとする課題】
本発明の目的は、以上に述べたような従来のメモリカード・コネクタの問題に鑑み、アース端子自体の外形寸法が小さく、同アース端子を組み込む部分のガイド壁部が局部的に強度不足となることのないメモリカード・コネクタを得るにある。
又、ガイド壁部を小さくする事に有る。
【０００７】
【課題を解決するための手段】
この目的を達成するため、本発明は、メモリカードを挿入できるスロットを相互間に形成した一対のガイド壁部を両端部に一体成形された接続部と、前記メモリカードに圧接できる状態で前記ガイド壁部の取付スリットに支持されてメモリカードの帯電静電気を放電させるアース端子とを備えるメモリカード・コネクタにおいて、前記アース端子は、前記取付スリットに挿入される端子本体から略直角に曲げ加工されて接地導体にハンダ付けされる接地片と、前記端子本体の表面の切り溝によって片持ち状態に切り起こされかつ先端部を”ヘヤピン”状に折り返される圧接ばねとを備え、前記端子本体の表面で構成する係止面で前記圧接ばねの先端突出部を抑止するメモリカード・コネクタを提案するものである。
【０００８】
【発明の実施の形態】
以下、図１から図４について本発明の実施例の詳細を説明する。
図１は本発明によるメモリカード・コネクタの全体を示し、電気絶縁樹脂で成形する同メモリカード・コネクタはメモリカードＭＣの各コンタクトに接触できる多数の接続ピン１を支持する接続部２を備えるのは従来と同様である。
【０００９】
そして、この接続部２の両端には前記メモリカードＭＣが挿入されるスロットを相互間に形成する一対のガイド壁部３，４が一体成形されるが、スロットに挿入されるメモリカードＭＣはこれらのガイド壁部３，４によって接続部２の方向に案内される点でも従来と同様である。
【００１０】
前記両ガイド壁部３，４の先端寄りの部分には取付スリット５，６が形成され、これらの取付スリット５，６に取り付けられるアース端子１０によりメモリカードＭＣの帯電静電気が図示を省略する接地導体等に放電されることになる。
本発明の特徴である同アース端子１０は取付スリットに挿入される矩形板状の端子本体１０ｄを備え、同端子本体１０ｄの一辺には、例えばプリント配線基板の接地導体にハンダ付けされる接地片１０ｅが略直角に曲げ加工される。
【００１１】
また、前記端子本体１０ｄの表面には切り溝１５により”Ｔ”字状の圧接ばね１０ｆが片持ち状態で切り起こされ、同圧接ばね１０ｆの先端部が”ヘヤピン”状に曲げ加工される。即ち、この圧接ばね１０ｆの長さ方向中間部はスロットに挿入されるメモリカードＭＣの側面に向かって山形に曲げ加工されて接触突起１０ｇとされ、同接触突起１０ｇをメモリカードＭＣの側面に弾力的に接触することによりメモリカードＭＣに帯電した静電気がアース端子１０に放電される。
”ヘヤピン”状に曲げ加工された圧接ばね１０ｆの先端部には”Ｔ”字の上辺を構成する先端突出部１０ｈが両側に形成されるが、これらの先端突出部１０ｈはスロットとは反対側に位置され、同端子本体１０ｄの対応表面で構成する係止面１６に引っ掛けられている（弾接状態に有る）。
【００１２】
したがって、スロットにメモリカードＭＣが挿入されない場合、圧接ばね１０ｆの復元力で接触突起１０ｇがスロットに向かって移動する傾向にあるが、係止面１６に対する先端突出部１０ｈの係合により同接触突起１０ｇの異常な移動が防止されることになる。
【００１３】
図示実施例によるメモリカード・コネクタのアース端子１０は、以上のような構造であるから、端子本体１０ｄの表面に”ヘヤピン”状に曲げ加工される圧接ばね１０ｆを一体成形して、同圧接ばね１０ｆの接触突起１０ｇをメモリカードＭＣの側面に接触させるので、取付スリットの両側に形成する収容溝１１及び干渉防止溝１２の溝幅が非常に小さくなる。このため、これらのアース端子１０を取り付けるガイド壁部の肉厚が、収容溝１１及び干渉防止溝１２の溝幅低下分だけ増強されるから、当該部の機械的強度が低下するのを防止できる。
【００１４】
また、図示例のアース端子１０は、圧接ばね１０ｆを切り起こす端子本体１０ｄに対して直角に曲げ加工された接地片１０ｅをもつ構造のため、全体寸法が小さくなり、これらのアース端子１０を組み込んだメモリカード・コネクタの全体外形寸法も小さくなる。
又、従来例のようなストッパ部１３Ａを必要としない為、その分ガイド壁の厚味を小さく出来る。
【００１５】
【発明の効果】
以上の説明から明らかなように、本発明によれば、アース端子の板状端子本体に”ヘアピン”状圧接ばねを切り起こし成形し、同圧接ばねの山形接触突起をスロットに挿入されるメモリカードの側面に接触するから、アース端子自体を小型化できるばかりでなく、同アース端子を組み付けるガイド壁部の機械的強度を保って、メモリカード・コネクタの外形寸法を削減できる効果がある。
【図面の簡単な説明】
【図１】本発明によるメモリカード・コネクタの全体平面図である。
【図２】反転して示す同メモリカード・コネクタの要部の拡大背面図である。
【図３】同メモリカード・コネクタに用いるアース端子の拡大斜視図である。
【図４】同アース端子の図３の４−４線に沿う断面図である。
【図５】従来のメモリカード・コネクタの全体平面図である。
【図６】反転して示す同メモリカード・コネクタの要部の拡大背面図である。
【符号の説明】
１        接続ピン
２        接続部
３，４    ガイド壁部
５，６    取付スリット
１０      アース端子
１０ｄ    端子本体
１０ｅ    接地片
１０ｆ    圧接ばね
１０ｇ    接触突起
１０ｈ    先端突出部
１１      収容溝
１２      干渉防止溝
１５      切り溝
１６      係止面
【図１】
0004058833.tif 000002
【図２】
0004058833.tif 000003
【図３】
0004058833.tif 000004
【図４】
0004058833.tif 000005
【図５】
0004058833.tif 000006
【図６】
0004058833.tif 000007